(57)【特許請求の範囲】
【請求項１】
物体側から像側へ順に、負の屈折力の第１レンズ群、正の屈折力の第２レンズ群、正の屈折力の第３レンズ群から構成され、ズーミングに際して、前記第１レンズ群と前記第２レンズ群の間隔、及び前記第２レンズ群と前記第３レンズ群との間隔が変化するズームレンズであって、
前記第２レンズ群は正レンズを含んでおり、
前記正レンズの材料の屈折率をＮｄ２Ｐ、アッベ数をνｄ２Ｐとするとき、
Ｎｄ２Ｐ＋０．０１×νｄ２Ｐ≧２．３８
１．６５＜Ｎｄ２Ｐ＜２．７
νｄ２Ｐ＞４５
なる条件を満足することを特徴とするズームレンズ。
【請求項２】
前記第２レンズ群は、さらに、複数の負レンズを含み、
前記第２レンズ群に含まれる前記正レンズは、該複数の負レンズのうち最も焦点距離の小さな負レンズの物体側に隣接して配置されていることを特徴とする請求項１に記載のズームレンズ。
【請求項３】
前記第２レンズ群に含まれる前記正レンズの焦点距離をｆ２Ｐ、該第２レンズ群の焦点距離をｆ２とするとき、
０．３７＜ｆ２Ｐ／ｆ２＜０．８５
なる条件を満足することを特徴とする請求項１又は２に記載のズームレンズ。
【請求項４】
前記第２レンズ群は、さらに、複数の負レンズを含み、
前記第２レンズ群に含まれる前記正レンズの光軸上の厚みを２Ｐ、該複数の負レンズのうち最も焦点距離の小さな負レンズの光軸上の厚みを２Ｎ、該第２レンズ群全体の光軸上の厚みを２Ｄとするとき、
０．４０＜（２Ｐ＋２Ｎ）／２Ｄ＜０．６０
なる条件を満足することを特徴とする請求項１に記載のズームレンズ。
【請求項５】
無限遠物体から近距離物体へのフォーカシングは、前記第３レンズ群を物体側へ移動させて行い、該第３レンズ群は正レンズを含み、前記第３レンズ群に含まれる該正レンズの材料の屈折率をＮｄ３Ｐ、アッベ数をνｄ３Ｐとするとき
Ｎｄ３Ｐ＋０．０１×νｄ３Ｐ＞２．３
１．６５＜Ｎｄ３Ｐ＜２．７
νｄ３Ｐ＞４５
なる条件を満足することを特徴とする請求項１乃至４のいずれか１項に記載のズームレンズ。
【請求項６】
前記第３レンズ群は正レンズを含み、
前記第３レンズ群の焦点距離をｆ３、前記第３レンズ群に含まれる前記正レンズの物体側の面の曲率半径をＲ３１とするとき、
０．７＜Ｒ３１／ｆ３＜１．０
なる条件を満足することを特徴とする請求項１乃至５のいずれか１項に記載のズームレンズ。
【請求項７】
前記第３レンズ群の広角端と望遠端における結像倍率を各々β３Ｗ、β３Ｔとするとき、
１．０＜β３Ｔ／β３Ｗ＜１．３
なる条件を満足することを特徴とする請求項１乃至６のいずれか１項に記載のズームレンズ。
【請求項８】
請求項１乃至７のいずれか１項に記載のズームレンズと、該ズームレンズによって形成される像を受光する光電変換素子とを備えることを特徴とする撮像装置。
【請求項９】
物体側より像側へ順に、負の屈折力の第１レンズ群、正の屈折力の第２レンズ群、正の屈折力の第３レンズ群から構成され、ズーミングに際して、前記第１レンズ群と前記第２レンズ群の間隔、及び前記第２レンズ群と前記第３レンズ群との間隔が変化するズームレンズであって、
無限遠物体から近距離物体へのフォーカシングは、前記第３レンズ群を物体側へ移動させて行い、
前記第３レンズ群は正レンズを含み、
前記正レンズの材料の屈折率をＮｄ３Ｐ、アッベ数をνｄ３Ｐとするとき、
Ｎｄ３Ｐ＋０．０１×νｄ３Ｐ＞２．３
１．６５＜Ｎｄ３Ｐ＜２．７
νｄ３Ｐ＞４５
なる条件を満足することを特徴とするズームレンズ。
【請求項１０】
前記第３レンズ群の焦点距離をｆ３、前記第３レンズ群に含まれる前記正レンズの物体側の面の曲率半径をＲ３１とするとき、
０．７＜Ｒ３１／ｆ３＜１．０
なる条件を満足することを特徴とする請求項９に記載のズームレンズ。
【請求項１１】
前記第３レンズ群の広角端と望遠端における結像倍率を各々β３Ｗ、β３Ｔとするとき、
１．０＜β３Ｔ／β３Ｗ＜１．３
なる条件を満足することを特徴とする請求項９又は１０に記載のズームレンズ。
【請求項１２】
請求項９乃至１１のいずれか１項に記載のズームレンズと、該ズームレンズによって形成される像を受光する光電変換素子とを備えることを特徴とする撮像装置。
【発明の詳細な説明】
【技術分野】
【０００１】
本発明はスチルカメラやビデオカメラ、そしてデジタルスチルカメラ等に好適なズームレンズ及びそれを有する撮像装置に関するものである。
【背景技術】
【０００２】
最近、固体撮像素子を用いたビデオカメラ、デジタルスチルカメラ等、撮像装置（カメラ）の小型化及び高機能化にともない、それに用いる撮像光学系にはレンズ系全体がコンパクトで、かつ高性能なズームレンズであることが求められている。
【０００３】
この種のカメラには、レンズ最後部と撮像素子との間に、ローパスフィルターや色補正フィルターなどの各種の光学部材を配置する。この為、それに用いるズームレンズには、比較的バックフォーカスの長いことが要求されている。
【０００４】
この他、カラー画像用の撮像素子を用いたカメラの場合、色収差が良好に補正されていること、更に色シェーディングを避けるため、それに用いるズームレンズには像側のテレセントリック特性が良いことが望まれている。
【０００５】
従来、物体側より像側へ順に、負の屈折力の第１レンズ群、正の屈折力の第２レンズ群、および正の屈折力の第３レンズ群より成り、小型で、しかも像側のテレセントリック性の良い３群ズームレンズが知られている（特許文献１、２）。
【０００６】
又、このズームタイプの３群ズームレンズで、長いバックフォーカスを有し、像側のテレセントリック特性の良い広画角の３群ズームレンズが知られている（特許文献３、４）。
【０００７】
又、このズームタイプの３群ズームレンズで、ズーム比３倍以上の高ズーム比のズームレンズが知られている（特許文献５〜１２）。
【０００８】
また近年透光性セラミックスが開発され、それを光学材料として用いた撮影光学系が知られている。透光性セラミックスは光学ガラスに比べて屈折率が高く、又硬度と強度に優れている。この性質を利用して、レンズ全体の薄型化を図った撮像装置が知られている。
【０００９】
従来より、負の屈折力の第１レンズ群と正の屈折力の第２レンズ群の２つのレンズ群より成り、双方のレンズ間隔を変えて変倍を行う、所謂ショートズームタイプの広画角の２群ズームレンズが知られている。
【００１０】
この２群ズームレンズにおいて、第２レンズ群内の負レンズの材料に前述の透過性のセラミックスを使用し、全系のコンパクト化を図ったズームレンズが知られている（特許文献１３〜１５）。
【特許文献１】特開２００１−６６５０３号公報
【特許文献２】特開２００１−２８１５４５号公報
【特許文献３】特開昭６３−１３５９１３号公報
【特許文献４】特開平７−２６１０８３号公報
【特許文献５】特開平４−２１７２１９号公報
【特許文献６】特開平１１−１１９１０１号公報
【特許文献７】特開２００２−２７７７４０号公報
【特許文献８】特開２００４−１０９１５３号公報
【特許文献９】特開２００５−２４８０４号公報
【特許文献１０】特開２００５−３４５８９１号公報
【特許文献１１】特開２００６−６５０３４号公報
【特許文献１２】特開２００６−８４８２９号公報
【特許文献１３】特開２００５−２４２２９０号公報
【特許文献１４】特開２００５−２４２２９５号公報
【特許文献１５】特開２００６−８４８８６号公報
【発明の開示】
【発明が解決しようとする課題】
【００１１】
近年、撮像装置に用いるズームレンズには、高ズーム比で、かつレンズ系全体が小型であることが強く要望されている。
【００１２】
一般にズームレンズを小型化するためには、ズームレンズを構成する各レンズ群の屈折力を強めつつ、レンズ枚数を削減すれば良い。
【００１３】
しかしながら、このようにしたズームレンズは、レンズ肉厚が増してしまいレンズ系の短縮効果が不十分になると同時に諸収差の補正が困難になってくる。
【００１４】
このため、高ズーム比とレンズ系全体の小型化を図るには、ズームタイプ、各レンズ群の屈折力そして各レンズ群を構成するレンズ構成等を適切に設定することが重要となる。
【００１５】
又、それと共にこのときレンズに使用する材料は、屈折率とアッベ数を考慮して、各ズームポジション（各ズーム位置）で色収差を含めた各種収差が小さくなるように選択することが重要となる。
【００１６】
前述したセラミックスは、通常の光学ガラスに比べて高屈折率、高硬度、高曲げ強度を有する。
【００１７】
このような性質を有するセラミックスを光学材料として用いると、収差補正及び光学系全体の小型化に有利となる。
【００１８】
しかしながら単にセラミックスより成るレンズをズームレンズに用いても全ズーム範囲にわたり、高い光学性能を得ることは難しい。
【００１９】
セラミックスより成るレンズを用いて高ズーム比化とレンズ系全体の小型化を図るには、ズームタイプ、各レンズ群の屈折力、そして各レンズ群のレンズ構成等を適切に設定することが重要となってくる。
【００２０】
一方、ズームレンズのズーム比が大きくなり、望遠端の焦点距離が長焦点化すると、温度変化に伴うレンズの材料の膨張により、ピントずれが発生し、光学性能が低下してくる。
【００２１】
このため、前述した３群ズームレンズにおいて、レンズ系全体の小型化を図りつつ、広画角でかつ高いズーム比を有したズームレンズを得るには、各レンズ群のレンズ構成や各レンズ群で使用するレンズの材料を適切に設定することが重要になってくる。
【００２２】
特に第２、第３レンズ群のレンズ構成やそれに用いる材料の選択が不適切であるとズーミングに伴う収差変動が大きくなり、全変倍範囲にわたり高い光学性能を得るのが難しくなってくる。
【００２３】
本発明は、３群ズームレンズにおいて、特に第２レンズ群又は第３レンズ群のレンズ構成を適切に構成することによって高い光学性能を維持しつつ、レンズ系全体がコンパクトで、高ズーム比であるズームレンズを目的とする。さらに本発明は、固体撮像素子を用いた撮像装置に好適なズームレンズを目的とする。
【課題を解決するための手段】
【００２４】
上記課題を解決するために、本願発明のズームレンズは、物体側より像側へ順に、負の屈折力の第１レンズ群、正の屈折力の第２レンズ群、正の屈折力の第３レンズ群から構成され、ズーミングに際して、前記第１レンズ群と前記第２レンズ群の間隔、及び前記第２レンズ群と前記第３レンズ群との間隔が変化し、前記第２レンズ群は正レンズを含み、
該第２レンズ群に含まれる前記正レンズの材料の屈折率をＮｄ２Ｐ、アッベ数をνｄ２Ｐとするとき、
Ｎｄ２Ｐ＋０．０１×νｄ２Ｐ≧２．３８
１．６５＜Ｎｄ２Ｐ＜２．７
νｄ２Ｐ＞４５
なる条件を満足することを特徴としている。
【発明の効果】
【００２５】
本発明によれば、３群ズームレンズにおいて、第２レンズ群又は第３レンズ群を適切に構成することによって高い光学性能を維持しつつ、レンズ系全体がコンパクトで、高ズーム比であるズームレンズが得られる。
【発明を実施するための最良の形態】
【００２６】
本発明の実施例に係るズームレンズは、物体側（拡大側、拡大共役側、前側）より像側（縮小側、縮小共役側、後側）へ順に、負の屈折力の第１レンズ群、正の屈折力の第２レンズ群、正の屈折力の第３レンズ群から構成される。ここで、第１、２、３レンズ群は、複数のレンズを含むことが必須では無く、１枚のレンズで構成していても良い。後述する実施例においては第３レンズ群は１枚のレンズから成る構成を記載しているが、これは屈折力（光学的パワー）を有するレンズ素子を１枚しか持たないのであって、フィルターや絞り、或いはその他屈折力を（ほぼ）持たない光学素子を含んでいても良い。
【００２７】
そしてズーミングに際し、前記第１レンズ群、第２レンズ群、および第３レンズ群の隣接するもの間の間隔が変化する。
【００２８】
具体的には広角端から望遠端へのズーミングに際して、第１レンズ群が像側に凸状の軌跡で（像側に凸の軌跡に沿って）移動し、第２レンズ群が物体側に移動し、第３レンズ群は像側に移動している。
【００２９】
図１は本発明の第１実施例に係るズームレンズの広角端（短焦点距離端）におけるレンズ断面図である。
【００３０】
図２、図３、図４はそれぞれ第１実施例に係るズームレンズの広角端、中間のズーム位置、望遠端（長焦点距離端）における収差図である。
【００３１】
第１実施例はズーム比４．６、開口比２．６〜６．０程度のズームレンズである。
【００３２】
図５は本発明の第２実施例に係るズームレンズの広角端におけるレンズ断面図、図６、図７、図８はそれぞれ第２実施例に係るズームレンズの広角端、中間のズーム位置、望遠端における収差図である。
【００３３】
第２実施例はズーム比３．６、開口比２．６〜６．０程度のズームレンズである。
【００３４】
図９は本発明の第３実施例に係るズームレンズの広角端におけるレンズ断面図、図１０、図１１、図１２はそれぞれ第３実施例に係るズームレンズの広角端、中間のズーム位置、望遠端における収差図である。
【００３５】
第３実施例はズーム比３．５、開口比２．９〜５．９程度のズームレンズである。
【００３６】
図１３は本発明の第４実施例に係るズームレンズの広角端におけるレンズ断面図、図１４、図１５、図１６はそれぞれ第４実施例に係るズームレンズの広角端、中間のズーム位置、望遠端における収差図である。
【００３７】
第４実施例はズーム比２．９、開口比２．８〜５．０程度のズームレンズである。
【００３８】
図１７は本発明の第５実施例に係るズームレンズの広角端におけるレンズ断面図、図１８、図１９、図２０はそれぞれ第５実施例に係るズームレンズの広角端、中間のズーム位置、望遠端における収差図である。
【００３９】
第５実施例はズーム比２．９、開口比２．８〜５．１程度のズームレンズである。
図２１は本発明の第６実施例に係るズームレンズの広角端におけるレンズ断面図、図２２、図２３、図２４はそれぞれ第６実施例に係るズームレンズの広角端、中間のズーム位置、望遠端における収差図である。第６実施例はズーム比４．６、開口比２．７〜６．０程度のズームレンズである。
図２５は本発明の第７実施例に係るズームレンズの広角端におけるレンズ断面図、図２６、図２７、図２８はそれぞれ第７実施例に係るズームレンズの広角端、中間のズーム位置、望遠端における収差図である。第７実施例はズーム比４．６、開口比２．６〜６．０程度のズームレンズである。
【００４０】
図２９は本発明の実施例に係るズームレンズを備えるデジタルスチルカメラ（撮像装置）の要部概略図である。
【００４１】
各実施例のズームレンズは撮像装置に用いられる撮影レンズ系であり、レンズ断面図において、左方が物体側（前方）で、右方が像側（後方）である。
【００４２】
ｉは物体側からの順番を示し、Ｌｉは第ｉレンズ群である。
【００４３】
Ｌ１は負の屈折力（光学的パワー＝焦点距離の逆数）の第１レンズ群（又は１群）である。Ｌ２は正の屈折力の第２レンズ群（又は２群）である。Ｌ３は正の屈折力の第３レンズ群（又は３群）である。
【００４４】
ＳＰは開放時の軸上Ｆナンバー（Ｆｎｏ）光束を決定する（制限する）開口絞り（Ｆナンバー決定部材）である。Ｇは水晶ローパスフィルターや赤外カットフィルター等のガラスブロックである。
【００４５】
ＩＰはＣＣＤセンサやＣＭＯＳセンサなどの固体撮像素子（光電変換素子）の感光面が位置する像面である。
【００４６】
矢印は広角端から望遠端へのズーミングに際して、各レンズ群の移動軌跡を示している。
【００４７】
収差図において、ｄ、ｇは各々ｄ線及びｇ線、ΔＭ、ΔＳはメリディオナル像面、サジタル像面、倍率色収差はｇ線によって表している。ωは半画角、ＦｎｏはＦナンバーである。
尚、以下の各実施例において広角端と望遠端は変倍用レンズ群（第２レンズ群Ｌ２）が機構上、光軸上移動可能な範囲の両端に位置したときのズーム位置をいう。
【００４８】
各実施例のズームレンズは、広角端から望遠端へのズーミングに際して、第１レンズ群Ｌ１は像側に凸状の軌跡で移動し、第２レンズ群Ｌ２は物体側に単調に移動し、第３レンズ群Ｌ３は像側に移動している。
【００４９】
各実施例のズームレンズは、第２レンズ群Ｌ２の移動により主な変倍を行い、第１レンズ群Ｌ１の像側に凸状の軌跡の移動及び第３レンズ群Ｌ３による像側方向への移動によって変倍に伴う像面の移動を補正している。
【００５０】
特に、第３レンズ群Ｌ３は、レンズ系全体の小型化に伴うレンズ系全体の屈折力の増大を分担している。そして負の屈折力の第１レンズ群Ｌ１と、正の屈折力の第２レンズ群Ｌ２で構成されるショートズーム系の屈折力を減らしている。これにより、特に第１レンズ群Ｌ１を構成するレンズでの収差の発生を抑え良好な光学性能を達成している。
【００５１】
また、固体撮像素子等を用いた撮影装置に必要な像側のテレセントリックな結像を第３レンズ群Ｌ３にフィールドレンズの役割を持たせる事で達成している。
【００５２】
無限遠物体から近距離物体へのフォーカシングは第３レンズ群Ｌ３を物体側へ移動させて行っている。
【００５３】
開口絞りＳＰを第２レンズ群の物体側又はその近傍の位置におき、広角側での入射瞳と第１レンズ群Ｌ１との距離を縮めることで第１レンズ群Ｌ１を構成するレンズの外径の増大を抑えている。
【００５４】
又、開口絞りＳＰを挟んで第１レンズ群Ｌ１と第３レンズ群Ｌ３とで軸外の諸収差を打ち消させることで、レンズ枚数を増やさずに良好な光学性能を得ている。
【００５５】
各実施例のズームレンズにおいて、レンズ系全体の小型化を図りつつ良好な光学性能を得るためには、次の条件式のうち少なくとも１つを満足するのが良い。
【００５６】
第２レンズ群Ｌ２内に含まれる少なくとも１枚の正レンズＧ２Ｐの材料の屈折率をＮｄ２Ｐ、アッベ数をνｄ２Ｐとする。
【００５７】
ここで正レンズＧ２Ｐは第２レンズ群Ｌ２内に含まれる負レンズが１枚のときは、この負レンズの物体側に隣接して配置されている。又、複数の負レンズが含まれるときは最も焦点距離の小さな負レンズの物体側に隣接して配置されている。
【００５８】
正レンズＧ２Ｐの焦点距離をｆ２Ｐ、第２レンズ群Ｌ２の焦点距離をｆ２とする。
【００５９】
正レンズＧ２Ｐの光軸上の厚みを２Ｐ、第２レンズ群Ｌ２内における最も焦点距離（空気中での焦点距離）の小さな負レンズの光軸上の厚みを２Ｎ、第２レンズ群Ｌ２全体の光軸上の厚みを２Ｄとする。
【００６０】
第３レンズ群Ｌ３は１枚の正レンズＧ３Ｐから構成され、正レンズＧ３Ｐの材料の屈折率をＮｄ３Ｐ、アッベ数をνｄ３Ｐとする。
【００６１】
第３レンズ群Ｌ３の焦点距離をｆ３、正レンズＧ３Ｐの物体側の面の曲率半径をＲ３１とする。
【００６２】
第３レンズ群Ｌ３の広角端と望遠端における結像倍率を各々β３Ｗ、β３Ｔとする。
【００６３】
このとき
Ｎｄ２Ｐ＋０．０１×νｄ２Ｐ≧２．３８              （１）
１．６５＜Ｎｄ２Ｐ＜２．７                          （２）
νｄ２Ｐ＞４５                                      （３）
０．３７＜ｆ２Ｐ／ｆ２＜０．８５                    （４）
０．４０＜（２Ｐ＋２Ｎ）／２Ｄ＜０．６０            （５）
Ｎｄ３Ｐ＋０．０１×νｄ３Ｐ＞２．３                （６）
１．６５＜Ｎｄ３Ｐ＜２．７                          （７）
νｄ３Ｐ＞４５                                      （８）
０．７＜Ｒ３１／ｆ３＜１．０                        （９）
１．０＜β３Ｔ／β３Ｗ＜１．３                      （１０）
なる条件のうち１以上を満足するのが良い。
【００６４】
ここで条件式（１）〜（３）、（６）〜（８）を満足する材料は、例えば前述した透光性のセラミックスが該当する。
【００６５】
ここで、本実施例の第１の側面のズームレンズは、物体側より像側へ順に、負の屈折力の第１レンズ群、正の屈折力の第２レンズ群、正の屈折力の第３レンズ群から構成され、ズーミングに際し、各レンズ群の間隔が変化することを前提としている。その上で、前述の条件式（１）、（２）、（３）を満足することが特徴である。条件式（４）、（５）については、満足するとより好ましい効果（後述する）を奏することができるが、必須の要件ではない。
【００６６】
また、本実施例の第２の側面のズームレンズは、物体側より像側へ順に、負の屈折力の第１レンズ群、正の屈折力の第２レンズ群、正の屈折力の第３レンズ群から構成され、ズーミングに際し、各レンズ群の間隔が変化することを前提としている。その上で、無限遠物体から近距離物体へのフォーカシングは、第３レンズ群を物体側へ移動させて行い（フォーカシングの際に第３レンズ群を移動させる）、第３レンズ群は１枚の正レンズから構成されている。更に、前述の条件式（６）、（７）、（８）を満足することが特徴である。条件式（９）、（１０）については、満足するとより好ましい効果（後述する）を奏することができるが、必須の要件ではない。また、ここで、第３レンズ群が１枚の正レンズから構成される、と言う点については、前述した通り、フィルターや絞り等の屈折力を持たないレンズ素子を含んでいても構わない。
【００６７】
次に各条件式の技術的意味について説明する。
【００６８】
条件式（１）の範囲において、正レンズＧ２Ｐの材料の屈折率Ｎｄ２Ｐが条件式（２）の範囲を超えて大きくなると、ペッツバール和が補正過剰になってくる。また、屈折率Ｎｄ２Ｐが条件式（２）の範囲の下限を超えて小さくなるとペッツバール和が補正不足になってくる。
【００６９】
条件式（１）の範囲において、条件式（３）の範囲をこえて正レンズＧ２Ｐの材料のアッベ数νｄ２Ｐが小さくなると、軸上色収差の絶対値が増え、これを補正するにはペッツバール和との両立が困難となる。
【００７０】
条件式（４）の上限値を超えて正レンズＧ２Ｐの焦点距離ｆ２Ｐが大きくなるとペッツバール和が補正不足になってくる。又、条件式（４）の下限値をこえて焦点距離ｆ２Ｐが小さくなると、ペッツバール和が補正過剰となってくる。
【００７１】
条件式（５）の上限値を超えて正レンズＧ２Ｐと第２レンズ群Ｌ２中の負レンズの光軸上の厚さが第２レンズ群全体に比べて大きく（長く）なると、第２レンズ群Ｌ２の光軸上の厚みが厚くなり、全体として大型化を招く。又、それと共に、望遠端において球面収差がアンダーとなり、これを補正するのが困難となる。
【００７２】
条件式（５）の下限値を超えて正レンズＧ２Ｐと第２レンズ群Ｌ２中の負レンズの光軸上の厚さが小さく（短く）なると、第２レンズ群Ｌ２の小型化には有利となるが、球面収差がオーバーとなり、これを補正するのが困難となる。
【００７３】
各実施例では、第３レンズ群Ｌ３でフォーカシングを行う。このため、フォーカスのために移動したとき色収差の変動があると良好なる画像を得ることが困難となる。
【００７４】
条件式（６）の範囲において、正レンズＧ３Ｐの材料の屈折率Ｎｄ３Ｐが条件式（７）の上限値を超えて大きくなると、レンズ系全体の小型化には有利となる。
【００７５】
しかしながら、このような大きな屈折率の硝材は入手が困難である。又、屈折率Ｎｄ３Ｐが条件式（７）の下限値を超えて小さくなるとコバを確保するために、正レンズＧ３Ｐの厚さを増大しなければならず、レンズ系全体が大型化してくるので良くない。
【００７６】
条件式（６）の範囲において、条件式（８）の範囲をこえて正レンズＧ３Ｐのアッベ数νｄ３Ｐが小さくなると、倍率色収差の絶対量が増え、特に望遠端において結像性能が悪くなる。
【００７７】
また、第３レンズ群Ｌ３のフォーカシング移動による倍率色収差の変動が大きくなってくる。
【００７８】
条件式（９）の範囲を超えて曲率半径Ｒ３１が大きくなると、レンズコバ面を取りやすくなり、第３レンズ群Ｌ３の小型化には有利となる。
【００７９】
しかしながら撮像手段としてＣＣＤを用いた場合、ＣＣＤ面で反射した光束が第３レンズ群Ｌ３の物体側の面にて反射し、像側に戻り、これがフレアスポットとしてゴーストとなるため、好ましくない。
【００８０】
条件式（９）の範囲をこえて曲率半径Ｒ３１が小さくなると、レンズコバ面がとれず、レンズ厚が厚くなってきて第３レンズ群Ｌ３が大型化するため、好ましくない。
【００８１】
条件式（１０）の上限を超えて結像倍率の比が大きくなると、望遠端において、第３レンズ群Ｌ３と像側のフィルター（ガラスブロック）Ｇまでの間隔が小さくなり、レンズの組立誤差により発生したピントずれを補正するのが難しくなる。又フィルターと干渉してしまうため、好ましくない。
【００８２】
条件式（１０）の下限を超えて結像倍率の比が小さくなると、広角端から望遠端へのズーミングに際して第３レンズ群Ｌ３の変倍分担が小さくなり、その分、第２レンズ群Ｌ２で変倍比を稼がねばならなくなる。そうすると第２レンズ群Ｌ２のパワーが大きくなるか、ズーミングに際し、第２レンズ群Ｌ２の移動量が大きくなる。この結果、光学性能を良好に維持しつつ、全系の小型化を図るのが難しくなる。
【００８３】
各実施例において、収差補正上、およびレンズ全体の小型化のために、更に好ましくは、条件式（１）〜（１０）の数値範囲を次の如く設定するのが良い。
【００８４】
３．３＞Ｎｄ２Ｐ＋０．０１×νｄ２Ｐ≧２．３８          （１ａ）
１．７０＜  Ｎｄ２Ｐ  ＜２．６                          （２ａ）
８０＞νｄ２Ｐ＞５０                                    （３ａ）
０．３８＜ｆ２Ｐ／ｆ２＜０．７５                        （４ａ）
０．４５＜（２Ｐ＋２Ｎ）／２Ｄ＜０．５５                （５ａ）
３．３＞Ｎｄ３Ｐ＋０．０１×νｄ３Ｐ＞２．３            （６ａ）
１．７０＜Ｎｄ３Ｐ＜２．６                              （７ａ）
８０＞νｄ３Ｐ＞５０                                    （８ａ）
０．７３＜Ｒ３１／ｆ３＜０．９５                        （９ａ）
１．０５＜β３Ｔ／β３Ｗ＜１．２                        （１０ａ）
尚、条件式（４ａ）については、
０．４５＜ｆ２Ｐ／ｆ２＜０．７５                        （４ｂ）
更には、
０．４７＜ｆ２Ｐ／ｆ２＜０．７５                        （４ｃ）
とすれば、更に、ペッツバール和を小さくすることができる。
【００８５】
各実施例では以上の様に各要素を設定する事により、固体撮像素子を用いた撮像装置に好適な、構成レンズ枚数が少なく全系がコンパクトなズームレンズが得られる。特に沈胴式のズームレンズに適した、変倍比が２．９〜４．６倍程度の優れた光学性能を有するズームレンズが達成出来る。
【００８６】
又、各実施例によれば第１レンズ群Ｌ１と、第２レンズ群Ｌ２に効果的に非球面を導入し、第１レンズ群Ｌ１と第２レンズ群Ｌ２の屈折力を適切に設定することによって軸外諸収差、特に非点収差・歪曲収差を良好に補正することができる。更に大口径比化した際の球面収差の補正を効果的に行うことができる。
【００８７】
また、第２レンズ群Ｌ２中の正レンズＧ２Ｐの材料に条件式（１）を満足する特定領域の硝材を使用することにより、温度変化による光学性能の変動が少ない、全系がコンパクトで優れた光学性能を有するズームレンズが得られる。
【００８８】
以上のように各実施例では第２、第３レンズ群Ｌ２、Ｌ３中に透明性のセラミックスより成るレンズを適切に設定することにより、全系がコンパクトで高ズーム比で、しかも全ズーム範囲にわたり高い光学性能のズームレンズを得ている。
【００８９】
次に各実施例における各レンズ群のレンズ構成について説明する。
【００９０】
第１レンズ群Ｌ１は、物体側から像側へ順に、物体側の面が凸でメニスカス形状の負レンズ１１と、像側の面が凹でメニスカス形状の正レンズ１２の２枚のレンズで構成されている。
【００９１】
第１レンズ群Ｌ１は、軸外主光線を開口絞りＳＰ中心に結像させる役割を持っており、特に広角側においては軸外主光線の屈折量が大きいために軸外諸収差、特に非点収差と歪曲収差が発生し易い。
【００９２】
そこで各実施例では、通常の広画角レンズ系と同様、最も物体側のレンズ径の増大が抑えられる負レンズと正レンズの構成としている。
【００９３】
そして第３実施例、第４実施例、第５実施例では、負レンズ１１の物体側のレンズ面をレンズ周辺で正の屈折率が強くなる非球面形状としている。又、像側のレンズ面を、レンズ周辺で負の屈折力が弱くなる非球面形状とし、両面を非球面形状にしている。或いは第１実施例、第２実施例、第６実施例、第７実施例では物体側のレンズ面は球面形状、像側のレンズ面を、レンズ周辺で負の屈折力が弱くなる非球面形状とし、片面を非球面形状としている。
【００９４】
これによって、非点収差と歪曲収差をバランス良く補正すると共に、２枚と言う少ないレンズ枚数で第１レンズ群を構成し、レンズ全体のコンパクト化を容易にしている。
【００９５】
また第１レンズ群Ｌ１を構成する各レンズは、軸外主光線の屈折によって生じる軸外収差の発生を抑えるために、開口絞りＳＰと光軸が交差する点を中心とする同心球面に近いレンズ形状としている。
【００９６】
第２レンズ群Ｌ２は、少なくとも１つの負レンズを１枚含み、全体として４枚以下のレンズより成っている。
【００９７】
そして第２レンズ群Ｌ２のレンズ構成は以下の３タイプにて構成している。
【００９８】
（タイプ１）
図１、図５、図２１、図２５の第１実施例、第２実施例、第６実施例、第７実施例に相当する。第２レンズ群Ｌ２は物体側から像側へ順に、物体側の面が凸形状の正レンズ２１、物体側の面が凸形状の正レンズ２２、像側の面が凹形状の負レンズ２３、両レンズ面が凸形状の正レンズ２４との４枚で構成されている。第１実施例、第６実施例、第７実施例は正レンズ２２と負レンズ２３とが接合されている。第２実施例はすべてのレンズが独立となっている。
【００９９】
第２レンズ群Ｌ２は、負レンズ２３の物体側に２枚の正レンズ２１、２２が配置されている。これによって第１レンズ群Ｌ１を射出した軸外光線の屈折角を少なくし、軸外収差の発生が少なくなるよう２枚の正レンズ２１、２２で分担している。
【０１００】
物体側に配された２枚の正レンズ２１、２２は軸上光束の通る高さが高いレンズであり、主に球面収差、コマ収差の補正に関与するレンズである。
【０１０１】
そこで、本実施例においては、最も物体側に配された正レンズ２１にて正レンズ２２に入射する光線を緩やかにしている。さらに、正レンズ２２の物体側の面をレンズ周辺で正の屈折率が弱くなる非球面形状（ＡＬ）とすることにより、球面収差とコマ収差を良好に補正している。
【０１０２】
また、負レンズ２３の像側の面を、像側に凹形状にし、軸上光線を、正レンズ２１と正レンズ２２と逆方向に曲げることにより、物体側の面で発生した球面収差を補正している。負レンズ２３の凹面の位置はピントずれにも大きく影響するため、凹面に入射する光線の高さを最適にするために、正レンズ２２と負レンズ２３の肉厚は最適な厚さに設定している。
【０１０３】
（タイプ２）
図９の第３実施例に相当している。第３実施例に係る第２レンズ群Ｌ２は物体側から像側へ順に、物体側の面が凸形状の正レンズ２１と像側の面が凹形状の負レンズ２２との接合レンズを有している。更に物体側の面が凸でメニスカス形状の負レンズ２３と両面が凸形状の正レンズ２４との接合レンズを有した合計４枚のレンズで構成されている。
【０１０４】
第２レンズ群Ｌ２は、最も物体側に正レンズ２１を配置し、第１レンズ群Ｌ１を射出した軸外光線の屈折角を少なくし、軸外収差の発生が少なくなるようなレンズ形状としている。
【０１０５】
また、最も物体側に配された正レンズ２１は最も軸上光束の通る高さが高いレンズであり、主に球面収差とコマ収差の補正に関与するレンズである。
【０１０６】
そこで第３実施例においては、最も物体側に配された正レンズ２１の物体側の面をレンズ周辺で正の屈折率が弱くなる非球面形状（ＡＬ）とすることにより、球面収差とコマ収差を良好に補正している。
【０１０７】
また、負レンズ２２の像側の面を、像側に凹形状にし、軸上光線を、正レンズ２１と逆方向に曲げることにより、物体側の面で発生した球面収差を補正している。さらに、負レンズ２３と正レンズ２４を接合レンズとすることにより、軸上色収差と倍率色収差を良好に補正している。
【０１０８】
負レンズ２２の凹面の位置はピントずれにも大きく影響するため、凹面に入射する光線の高さを最適にするために、正レンズ２１と負レンズ２２の肉厚を最適な厚さに設定している。
【０１０９】
（タイプ３）
図１３、図１７の第４実施例、第５実施例に相当している。
【０１１０】
第４実施例、第５実施例は物体側から像側へ順に、物体側の面が凸形状の正レンズ２１、像側の面が凹形状の負レンズ２２、両面が凸形状の正レンズ２３の合計３枚で構成されている。第５実施例は正レンズ２１と負レンズ２２とが接合されている。第４実施例はすべてのレンズが独立となっている。
【０１１１】
第２レンズ群Ｌ２は、最も物体側に正レンズ２１を配置し、第１レンズ群Ｌ１を射出した軸外光線の屈折角を少なくし、軸外収差の発生が少なくなるような形状としている。
【０１１２】
また、最も物体側に配された正レンズ２１は最も軸上光束の通る高さが高いレンズであり、主に球面収差とコマ収差の補正に関与するレンズである。
【０１１３】
そこで、第４実施例、第５実施例においては、最も物体側に配された正レンズ２１の物体側の面をレンズ周辺で正の屈折率が弱くなる非球面形状（ＡＬ）とすることにより、球面収差とコマ収差を良好に補正している。
【０１１４】
また、負レンズ２２の像側の面を、像側に凹形状にし、軸上光線を、正レンズ２１と逆方向に曲げることにより、物体側の面で発生した球面収差を補正している。
【０１１５】
負レンズ２２の凹面の位置はピントずれにも大きく影響するため、凹面に入射する光線の高さを最適にするために、正レンズ２１と負レンズ２２の肉厚は最適な厚さに設定している。
【０１１６】
ここで、第１実施例、第６実施例、第７実施例においては、第２レンズ群Ｌ２の物体側から２番目の正レンズ２２が、条件式（１）、（２）、（３）を満足する。ここでは、この正レンズ２２は透光性のセラミックスである。
【０１１７】
ここで、第２実施例においては、第２レンズ群Ｌ２の物体側から２番目の正レンズ２２と、物体側から４番目の正レンズ２４が、条件式（１）、（２）、（３）を満足する。ここでは、この正レンズ２２と正レンズ２４は透光性のセラミックスである。
【０１１８】
ここで、第３実施例においては、第２レンズ群Ｌ２の最も物体側の正レンズ２１と、物体側から４番目（最も像側）の正レンズ２４が、条件式（１）、（２）、（３）を満足する。ここでは、この正レンズ２２、正レンズ２４は透光性のセラミックスである。
【０１１９】
ここで、第４実施例においては、第２レンズ群Ｌ２の最も物体側の正レンズ２１と、物体側から３番目（最も像側）の正レンズ２３が、条件式（１）、（２）、（３）を満足する。ここでは、この正レンズ２１、正レンズ２３は透光性のセラミックスである。
【０１２０】
ここで、第５実施例においては、第２レンズ群Ｌ２の最も物体側の正レンズ２１と、物体側から３番目（最も像側）の正レンズ２３が、条件式（１）、（２）、（３）を満足する。ここでは、この正レンズ２１、正レンズ２３は透光性のセラミックスである。
【０１２１】
次に第３レンズ群Ｌ３のレンズ構成について説明する。
【０１２２】
各実施例において第３レンズ群Ｌ３は、物体側の面が凸形状の正レンズ３１より構成し、像側がテレセントリックとなるようにフィールドレンズとしての役割をも有している。この正レンズ３１が、前述の条件式（６）、（７）、（８）を満足するような正レンズである。ここでは、この正レンズ３１は透光性のセラミックスである。
【０１２３】
いま、バックフォーカスをｓｋ’、第３レンズ群Ｌ３の焦点距離をｆ３、第３レンズ群Ｌ３の結像倍率をβ３とする。このとき、
ｓｋ’＝ｆ３（１−β３）
の関係が成り立っている。
【０１２４】
但し、
０＜β３＜１．０
である。
【０１２５】
ここで、広角端から望遠端へのズーミングに際して第３レンズ群Ｌ３を像側に移動するとバックフォーカスｓｋ’が減少する事になり、第３レンズ群Ｌ３の結像倍率β３は望遠側で増大する。
【０１２６】
すると、結果的に第３レンズ群で変倍を分担できるため、第２レンズ群Ｌ２のズーミングに際しての移動量を減少させることができる。
【０１２７】
そして、第２レンズ群Ｌ２のズーミングに際しての移動量が減少することにより、スペースが節約でき、ズームレンズ全系の小型化を容易にしている。
【０１２８】
各実施例のズームレンズを用いて近距離物体を撮影する場合には、第１レンズ群Ｌ１を物体側へ移動する事で良好な光学性能を得られる。さらに望ましくは、第３レンズ群Ｌ３を物体側に移動させるのが良い。
【０１２９】
これは、最も物体側に配置した第１レンズ群Ｌ１をフォーカシングさせた場合に生じる、前玉径の増大、レンズ重量が最も重い第１レンズ群Ｌ１を移動させる事によるアクチュエーターの負荷の増大を移動することができる。
【０１３０】
さらに、第１レンズ群Ｌ１と第２レンズ群Ｌ２とをカム等で単純に連携してズーミング時に移動させる事が可能となり、メカ構造の簡素化及び精度向上を達成できる。
【０１３１】
また、第３レンズ群Ｌ３にてフォーカシングを行う場合、広角端から望遠端へのズーミングに際して第３レンズ群Ｌ３を像側に移動する事により、フォーカシングのための移動量の大きい望遠端において、移動スペースを多くとる事が出来る。
【０１３２】
この為、ズーミング及びフォーカシングで必要となる第３レンズ群Ｌ３の全ての移動量を最小とし、レンズ系のコンパクト化を容易にしている。
【０１３３】
尚、以上の各実施例においては、ズーミングに際して３つのレンズ群を移動させる代わりに、各レンズ群の間隔が変化するように２つのレンズ群（例えば第１と第２レンズ群、又は第１と第３レンズ群又は第２と第３レンズ群）を移動させても良い。
【０１３４】
又、第１レンズ群Ｌ１の物体側又は／及び第３レンズ群Ｌ３の像側に屈折力の小さなレンズ群を付加しても良い。
【０１３５】
次に、第１〜第７実施例に各々対応する数値実施例１〜７を示す。各数値実施例１〜７において、ｉは物体側からの面の順序を示し、ｒｉはレンズ面の曲率半径、ｄｉは第ｉ面と第ｉ＋１面との間のレンズ肉厚および空気間隔、ｎｉ、νｉはそれぞれｄ線に対する第ｉ番目の媒質の屈折率、アッベ数を示す。
【０１３６】
また、最も像側の２面はフエースプレート等のガラス材である。また、ｋ、Ｂ，Ｃ，Ｄ，Ｅは非球面係数である。非球面形状は光軸からの高さｈの位置での光軸方向の変位を面頂点を基準にしてｘとするとき
ｘ＝（ｈ２／Ｒ）／［１＋｛１−（１＋ｋ）（ｈ／Ｒ）２｝１／２］＋Ｂｈ４＋Ｃｈ６＋Ｄｈ８＋Ｅｈ１０＋Ｆｈ１２
で表される。但しＲは曲率半径である。
【０１３７】
尚、数値実施例３、４、５においてｄ５の値が負となっているがこれは物体側から順にナンバー決定部材ＳＰ、第２レンズ群Ｌ２のレンズ２１と数えた為である。
【０１３８】
具体的な構成としては図９、図１３、図１７に示すようにＦナンバー決定部材（開口絞り）ＳＰが第２レンズ群Ｌ２の物体側のレンズ２１のレンズ面（Ｓ６）の物体側頂点Ｇ２１ａよりも絶対値ｄ５だけ像側に位置していることを示している。
【０１３９】
又、前述の条件式（１）〜（１０）と各数値実施例１〜７との関係を表１に示す。
［数値実施例１］
単位ｍｍ
面データ
面番号  ｒ            d          nd            νd        有効径
物面      ∞          ∞
1    27.325        1.80       1.882997      40.8      13.957
2*    5.353        2.69                               10.373
3     9.464        1.75       1.922860      18.9      10.591
4    15.890        可変                               10.074
5    (絞り)        0.40                                5.306
6     9.634        1.50       1.487490      70.2       5.528
7    40.425        0.10                                5.508
8*    6.412        2.50       1.830000      59.0       5.534
9   -25.348        0.85       1.806100      33.3       4.853
10     4.640        0.70                                4.269
11    19.974        1.30       1.531717      48.8       4.300
12   -18.865        可変                                4.292
13    22.455        1.20       1.830000      59.0       7.191
14  -216.299        可変                                7.125
15     ∞           1.00       1.516330      64.1      10.000
16     ∞                                              10.000
非球面データ
第2面
k=-1.66903e+00 B=8.82464e-04 C=8.83090e-07 D=-5.66131e-08 E=1.40747e-09 
第8面
k=-2.96947e-01 B=-3.00436e-05
各種データ
ズーム比           4.60554
広角        中間          望遠
焦点距離           4.69000     12.67555      21.60000
Fナンバー         2.55697      4.12754       5.97401
画角              32.75683     13.39046       7.95270
像高               3.01750      3.01750       3.01750
レンズ全長        38.92153     34.18398      42.26604
BF                 6.21523      5.74468       4.40463
ｄ4                20.76316      5.31168       1.81031
ｄ12                3.36712     14.08205      25.66548
ｄ14                5.05574      4.58519       3.24514
入射瞳位置         9.11610      5.99229       4.58283
射出瞳位置       -12.46714    -79.22474     129.18341
前側主点位置      12.62874     16.77693      29.92193
後側主点位置       1.52523     -6.93087     -17.19537
単レンズデータ
レンズ      始面       焦点距離
1            1         -7.84021
2            3         22.42661
3            6         25.53729
4            8          6.39373
5            9         -4.80479
6           11         18.46049
7           13         24.56550
ズームレンズ群データ
群    始面    焦点距離   レンズ構成長   前側主点位置  後側主点位置
1      1       -13.19670      6.24025       0.49329       -4.11563
2      5        12.25071      7.35000      -0.91068       -5.42150
3      13       24.56550      1.20000       0.06181       -0.59542
［数値実施例２］
単位ｍｍ
面データ
面番号  ｒ          d          nd            νd        有効径
物面      ∞          ∞
1    25.755      1.80      1.882997       40.8       15.603
2*    6.100      3.21                                11.702
3    10.149      1.75      1.922860      18.9        11.846
4    14.786      可変                                11.259
5     (絞り)     0.40                                 5.178
6     8.357      1.50      1.487490      70.2         5.387
7    46.396      0.10                                 5.317
8*    6.844      2.50      1.830000      59.0         5.296
9   -15.990      0.15                                 4.589
10   -11.679      1.05     1.834000      37.2         4.479
11     4.846      0.70                                3.914
12    29.450      1.30     1.830000      59.0         3.953
13   -24.852      可変                                3.950
14    18.994       1.20    1.830000      59.0         7.062
15  1030.417      可変                                7.175
16     ∞        1.00      1.516330      64.1        10.000
17     ∞                                            10.000
非球面データ
第2面
k=-2.18448e+00 B=8.84631e-04 C=-2.99072e-06 D=-7.35680e-10 E=8.07336e-10
第8面
k=4.13290e-01 B=-2.07296e-04
各種データ
ズーム比           4.60554
広角        中間          望遠
焦点距離           4.69000     12.63504      21.60000
Fナンバー         2.63625      4.15897       5.97401
画角              32.75683     13.39046       7.95270
像高               3.01750      3.01750       3.01750
レンズ全長        43.02605     34.67939      41.06544
BF                 5.44327      4.97026       3.57156
ｄ4                23.79970      5.93020       1.86773
ｄ13                3.56156     13.08414      23.53292
ｄD15                 4.82378      3.81077      2.41208
入射瞳位置        10.39188      6.76769       5.08325
射出瞳位置       -13.01461    -72.48883     137.16321
前側主点位置      13.89019     17.34172      30.17568
後側主点位置       0.753268     -7.664784     -18.02844
単レンズデータ
レンズ      始面       焦点距離
1            1         -9.45926
2            3         29.68813
3            6         20.64296
4            8          6.07611
5           10         -3.99143
6           12         16.41701
7           14         23.30120
ズームレンズ群データ
群    始面    焦点距離   レンズ構成長   前側主点位置  後側主点位置
1     1       -14.77228      6.76479       0.70257       -4.35967
2     5        12.43159      7.70000      -1.61290       -5.94891
3    14        23.30120      1.20000      -0.01231       -0.66769
［数値実施例３］
単位ｍｍ
面データ
面番号  ｒ          d          nd            νd        有効径
物面      ∞          ∞
1*   65.809        1.55       1.901355       31.6      15.883
2*    6.469        2.13                                12.231
3    11.628        1.80       2.100000       17.0      12.335
4    25.073        可変                                11.913
5    (絞り)       -0.50                                 5.027
6*    5.919        2.75       1.830000       59.0       5.033
7    26.130        0.65       1.733997       51.5       4.326
8     5.024        1.33                                 4.049
9    24.282        0.60       1.922864       21.3       4.200
10     8.240        1.60       1.830000       59.0       4.283
11   -21.160        可変                                 4.778
12    15.952        1.75       1.830000       59.0      11.497
13   171.400        可変                                11.335
14     ∞           1.30       1.516330       64.1      15.000
15     ∞                                               15.000
非球面データ
第1面
k=-2.98536e+01 B=4.54933e-05 C=-2.77291e-07 D=-1.03539e-09 E=1.05764e-11
第2面
k=-1.41184e+00 B=3.65801e-04 C=-1.83309e-07 D=1.55680e-09 E=-2.81133e-10
第6面
k=-4.20003e-01 B=3.30837e-06 C=-1.08990e-06 D=1.75861e-07
各種データ
ズーム比           3.52394
広角        中間          望遠
焦点距離           6.30000     13.80676      22.20083
Fナンバー         2.89999      4.37269       5.93500
画角              36.28340     18.51987      11.76786
像高               4.62500      4.62500       4.62500
レンズ全長        37.32083     35.63808      40.88175
BF                 5.81187      4.53571       4.09681
ｄ4                17.31788      5.25253       0.95087
ｄ11                6.34627     16.72887      26.27421
ｄ13                4.45454      3.17838       2.73948
入射瞳位置         9.04874      5.73481       3.66013
射出瞳位置       -23.07911    6159.0745      66.251722
前側主点位置      13.974959     19.572534      33.79078
後側主点位置      -0.488129     -9.271046     -18.10402
単レンズデータ
レンズ      始面       焦点距離
1            1         -8.05948
2            3         18.42181
3            6          8.68475
4            7         -8.58612
5            9        -13.76193
6           10          7.32599
7           12         21.08335
ズームレンズ群データ
群    始面    焦点距離   レンズ構成長   前側主点位置  後側主点位置
1     1       -16.46235      5.47628       -0.28522       -4.23806
2     5        13.61431      6.93039       -0.40567       -4.91845
3    14        21.08335      1.75000       -0.09763       -1.04906
［数値実施例４］
単位ｍｍ
面データ
面番号  ｒ          d          nd            νd        有効径
物面      ∞          ∞
1*   23.154        1.30       1.882997       40.8      10.571
2*    4.621        1.25                                 8.092
3     6.752        1.95       1.808095       22.8       8.220
4    14.774        可変                                 7.659
5    (絞り)       -0.50                                 4.268
6*    4.295        1.80       1.830000       59.0       4.294
7    12.516        0.20                                 3.762
8    13.732        0.50       1.755199       27.5       3.762
9     3.623        0.63                                 3.413
10    11.763        1.25       1.830000       59.0       3.472
11   -23.823        可変                                 3.628
12    18.956        1.30       1.830000       59.0       7.668
13   240.413        可変                                 7.649
14     ∞           1.35       1.516330       64.1      15.000
15     ∞                                               15.000
非球面データ
第1面
k=-2.78352e-02 B=4.84528e-05 C=-1.47451e-06 D=2.46422e-08
第2面
k=-1.31983e+00 B=1.19356e-03 C=8.14552e-06 D=-2.46989e-07 E=1.47594e-08
第6面
k=-2.96087e-01 B=-6.06186e-05 C=-1.20269e-06
各種データ
ズーム比           2.88666
広角        中間          望遠
焦点距離           5.90000     11.23263      17.03129
Fナンバー         2.83275      3.90461       5.05956
画角              31.03511     17.53880      11.77414
像高               3.55000      3.55000       3.55000
レンズ全長        26.18576     24.39776      26.53505
BF                 4.81036      3.79598       3.45045
ｄ4                11.91515      4.16319       1.00536
ｄ11                4.59069     10.55465      15.84977
ｄ13                3.42005      2.40568       2.06015
入射瞳位置         7.48829      4.79568       2.97243
射出瞳位置       -15.85496    -33.64705     -81.52184
前側主点位置      11.25989     12.33336      16.46728
後側主点位置      -1.089639     -7.4366417     -13.58084
単レンズデータ
レンズ      始面       焦点距離
1            1         -6.75984
2            3         13.87891
3            6          7.16617
4            8         -6.65871
5           10          9.64109
6           12         24.72794
ズームレンズ群データ
群    始面    焦点距離   レンズ構成長   前側主点位置  後側主点位置
1     1       -13.66480      4.50000      0.64244       -2.30358
2     5         9.67132      4.37992     -0.86690       -3.32849
3    14        24.72764      1.30000     -0.06065       -0.76914
［数値実施例５］
単位ｍｍ
面データ
面番号  ｒ          d          nd            νd        有効径
物面     ∞        ∞
1*   23.137      1.30      1.882997      40.8      10.965
2*    4.603      1.25                               8.384
3     6.719      1.95      1.808095      22.8       8.520
4    14.820      可変                               7.971
5     (絞り)     -0.50                              4.248
6*    4.056      1.80      1.830000      59.0       4.270
7    13.112      0.50      1.755199      27.5       3.751
9     3.342      0.64                               3.424
10    13.126      1.25      1.830000      59.0       3.472
11   -25.739      可変                               3.653
12    18.256      1.30      1.830000      59.0       7.645
13   183.260      可変                               7.601
14     ∞         1.35      1.516330      64.1      15.000
15     ∞                                           15.000
非球面データ
第1面
k=-1.77445e-02 B=4.42241e-05 C=-1.18966e-06 D=2.46101e-08
第2面
k=-1.36833e+00 B=1.23819e-03 C=9.71187e-06 D=-2.38970e-07 E=1.47596e-08
第6面
k=-2.96087e-01 B=-6.06186e-05 C=-1.20269e-06
各種データ
ズーム比           2.88666
広角        中間          望遠
焦点距離           5.90000     11.21829      17.01557
Fナンバー         2.83275      3.89963       5.05489
画角              31.03511     17.55895      11.78471
像高               3.55000      3.55000       3.55000
レンズ全長        26.05690     24.31684      26.45408
BF                 4.81062      3.78588       3.44998
ｄ4                11.97389      4.27473       1.12169
ｄ11                4.59069     10.54980      15.84007
ｄ13                3.42031      2.40557       2.05967
入射瞳位置         7.50332      4.84658       3.04962
射出瞳位置       -15.39841    -32.90893     -80.61591
前側主点位置      11.21380     12.29791      16.49586
後側主点位置      -5.40000    -10.71829     -16.51557
単レンズデータ
レンズ      始面       焦点距離
1            1         -6.72915
2            3         13.73430
3            6          6.49072
4            7         -6.29383
5            9         10.62856
6           11         24.34102
ズームレンズ群データ
群    始面    焦点距離   レンズ構成長   前側主点位置  後側主点位置
1     1       -13.71195      4.50000       0.62656       -2.32145
2     5         9.65430      4.19231      -1.07486       -3.26843
3    11        24.34102      1.30000      -0.07831       -0.78617
［数値実施例６］
単位  ｍｍ
面データ
面番号       r        d      nd         vd       有効径
1         27.325    1.80   1.88300    40.8       14.06
2*         5.347    2.55                         10.42
3          9.218    1.75   1.92286    18.9       10.65
4         15.325  (可変)                         10.14
5(絞り)    ∞       0.40                          5.29
6          9.340    1.50   1.48749    70.2        5.52
7         31.471    0.10                          5.49
8*         6.490    2.50   1.83307    52.6        5.52
9        -11.055    0.85   1.80610    33.3        4.92
10          4.668    0.70                          4.28
11         16.282    1.30   1.53172    48.8        4.32
12        -21.966  (可変)                          4.30
13         21.183    1.20   1.83307    52.6        7.21
14       -588.189  (可変)                          7.13
15          ∞       1.00   1.51633    64.1       10.00
16          ∞                                    10.00
非球面データ
第2面
K =-1.66441e+000  A 4= 8.93016e-004  A 6= 1.53043e-006  A 8=-7.01058e-008  A10= 1.73458e-009
第8面
K =-3.42295e-001  A 4=-2.59129e-005  A 6= 5.83696e-007  A 8=-6.75585e-008  A10= 7.25435e-011
各種データ
ズーム比      4.61
広角     中間     望遠
焦点距離       4.69    12.68    21.60
Fナンバー      2.56     4.13     5.97
画角          32.76    13.39     7.95
像高           3.02     3.02     3.02
レンズ全長    45.45    40.41    47.24
BF             0.50     0.50     0.50
d 4           20.87     5.51     2.03
d12            3.36    14.14    25.79
d14            5.08     4.61     3.27
入射瞳位置     9.17     6.05     4.65
射出瞳位置   -18.15   -84.97   123.59
前側主点位置  12.68    16.85    30.04
後側主点位置  -4.19   -12.18   -21.10
単レンズデータ
レンズ  始面  焦点距離
1       1     -7.83
2       3     22.04
3       6     26.65
4       8      5.25
5       9     -3.98
6      11     17.80
7      13     24.57
8      15      0.00
ズームレンズ群データ
群  始面    焦点距離  レンズ構成長  前側主点位置  後側主点位置
1    1     -13.16         6.10         0.58         -3.85
2    5      12.25         7.35        -0.86         -5.38
3   13      24.57         1.20         0.02         -0.63
4   15       ∞           1.00         0.33         -0.33
［数値実施例７］
単位  ｍｍ
面データ
面番号       r        d      nd         vd       有効径
1         27.325    1.80   1.88300    40.8       13.85
2*         5.240    2.60                         10.26
3          9.320    1.75   1.92286    18.9       10.50
4         16.040  (可変)                         10.00
5(絞り)    ∞       0.40                          5.31
6          9.892    1.50   1.48749    70.2        5.53
7         30.127    0.10                          5.52
8*         6.486    2.50   1.84273    53.9        5.57
9         -8.503    0.85   1.80100    35.0        5.02
10          4.718    0.70                          4.34
11         19.605    1.30   1.53172    48.8        4.37
12        -18.975  (可変)                          4.36
13         21.552    1.20   1.84273    53.9        7.19
14       -511.823  (可変)                          7.11
15          ∞       1.00   1.51633    64.1       10.00
16          ∞                                    10.00
非球面データ
第2面
K =-1.64653e+000  A 4= 9.25086e-004  A 6=-1.97992e-007  A 8=-1.23821e-009  A10= 4.30500e-010
第8面
K =-3.50878e-001  A 4=-5.12830e-005  A 6= 6.45404e-007  A 8=-1.90144e-007  A10= 5.65296e-009
各種データ
ズーム比      4.61
広角     中間     望遠
焦点距離       4.69    12.67    21.60
Fナンバー      2.56     4.13     5.97
画角          32.76    13.39     7.95
像高           3.02     3.02     3.02
レンズ全長    45.56    40.49    47.29
BF             0.50     0.50     0.50
d 4           20.65     5.29     1.81
d12            3.81    14.56    26.19
d14            4.90     4.43     3.09
入射瞳位置     9.01     5.92     4.52
射出瞳位置   -19.07   -93.85   116.38
前側主点位置  12.57    16.89    30.14
後側主点位置  -4.19   -12.17   -21.10
単レンズデータ
レンズ  始面  焦点距離
1       1     -7.63
2       3     21.43
3       6     29.49
4       8      4.73
5       9     -3.68
6      11     18.35
7      13     24.57
8      15      0.00
ズームレンズ群データ
群  始面    焦点距離  レンズ構成長  前側主点位置  後側主点位置
1    1     -13.03         6.15         0.48         -4.04
2    5      12.25         7.35        -0.71         -5.29
3   13      24.57         1.20         0.03         -0.63
4   15       ∞           1.00         0.33         -0.33
【０１４０】
【表１】
0005317669.tif 000002
【０１４１】
次に本発明の実施例に係るズームレンズを撮影光学系として用いたデジタルカメラ（光学機器）を図２９を用いて説明する。
【０１４２】
図２９において、２０はデジタルカメラ本体、２１は上述の各実施例のズームレンズによって構成された撮影光学系である。２２は撮影光学系２１によって被写体像を受光するＣＣＤ等の撮像素子である。２３は撮像素子２２が受光した被写体像を記録する記録ユニット、２４は不図示の表示素子に表示された被写体像を観察するためのファインダーである。
【０１４３】
上記表示素子は液晶パネル等によって構成され、撮像素子２２上に形成された被写体像が表示される。２５は、前記ファインダーと同等の機能を有する液晶表示パネルである。  
【０１４４】
このように本発明の実施例に係るズームレンズをデジタルカメラ等の光学機器に適用することにより、小型で高い光学性能を有する光学機器を実現している。
【０１４５】
本実施例によれば、３群ズームレンズにおいて、第２レンズ群又は第３レンズ群を適切に構成することによって高い光学性能を維持しつつ、レンズ系全体がコンパクトで、高ズーム比であるズームレンズが得られる。
【図面の簡単な説明】
【０１４６】
【図１】本発明の第１実施例に係るレンズ断面図
【図２】本発明の第１実施例に係る広角端における収差図
【図３】本発明の第１実施例に係る中間のズーム位置における収差図
【図４】本発明の第１実施例に係る望遠端における収差図
【図５】本発明の第２実施例に係るレンズ断面図
【図６】本発明の第２実施例に係る広角端における収差図
【図７】本発明の第２実施例に係る中間のズーム位置における収差図
【図８】本発明の第２実施例に係る望遠端における収差図
【図９】本発明の第３実施例に係るレンズ断面図
【図１０】本発明の第３実施例に係る広角端における収差図
【図１１】本発明の第３実施例に係る中間のズーム位置における収差図
【図１２】本発明の第３実施例に係る望遠端における収差図
【図１３】本発明の第４実施例に係るレンズ断面図
【図１４】本発明の第４実施例に係る広角端における収差図
【図１５】本発明の第４実施例に係る中間のズーム位置における収差図
【図１６】本発明の第４実施例に係る望遠端における収差図
【図１７】本発明の第５実施例に係るレンズ断面図
【図１８】本発明の第５実施例に係る広角端における収差図
【図１９】本発明の第５実施例に係る中間のズーム位置における収差図
【図２０】本発明の第５実施例に係る望遠端における収差図
【図２１】本発明の第６実施例に係るレンズ断面図
【図２２】本発明の第６実施例に係る広角端における収差図
【図２３】本発明の第６実施例に係る中間のズーム位置における収差図
【図２４】本発明の第６実施例に係る望遠端における収差図
【図２５】本発明の第７実施例に係るレンズ断面図
【図２６】本発明の第７実施例に係る広角端における収差図
【図２７】本発明の第７実施例に係る中間のズーム位置における収差図
【図２８】本発明の第７実施例に係る望遠端における収差図
【図２９】本発明の実施例に係る撮像装置の要部概略図
【符号の説明】
【０１４７】
Ｌ１  第１レンズ群
Ｌ２  第２レンズ群
Ｌ３  第３レンズ群
ＳＰ  開口絞り（Ｆナンバー決定部材）
Ｇ  ガラスブロック
ＡＬ  非球面
ＩＰ  像面
ｄ  ｄ線
ｇ  ｇ線
ΔＳ  サジタル像面
ΔＭ  メリディオナル像面
【図１】
0005317669.tif 000003
【図２】
0005317669.tif 000004
【図３】
0005317669.tif 000005
【図４】
0005317669.tif 000006
【図５】
0005317669.tif 000007
【図６】
0005317669.tif 000008
【図７】
0005317669.tif 000009
【図８】
0005317669.tif 000010
【図９】
0005317669.tif 000011
【図１０】
0005317669.tif 000012
【図１１】
0005317669.tif 000013
【図１２】
0005317669.tif 000014
【図１３】
0005317669.tif 000015
【図１４】
0005317669.tif 000016
【図１５】
0005317669.tif 000017
【図１６】
0005317669.tif 000018
【図１７】
0005317669.tif 000019
【図１８】
0005317669.tif 000020
【図１９】
0005317669.tif 000021
【図２０】
0005317669.tif 000022
【図２１】
0005317669.tif 000023
【図２２】
0005317669.tif 000024
【図２３】
0005317669.tif 000025
【図２４】
0005317669.tif 000026
【図２５】
0005317669.tif 000027
【図２６】
0005317669.tif 000028
【図２７】
0005317669.tif 000029
【図２８】
0005317669.tif 000030
【図２９】
0005317669.tif 000031